(57)【要約】【課題】  少なくとも２枚の天板部材が、一例として当該天板部材の長さ方向に平行なボルト杆とナットによって連結されるように形成した連結天板において、連結する構造を簡潔にすることにより、使用部品の制約や組立手間を含めて複雑さや煩雑さを回避でき、しかも連結部分の十分な強度を実現できる家具天板の連結構造を提供すること。【解決手段】  天板１，２同士を突合せ結合するため、当該天板１，２同士の突合せ端面1a，2a近傍の裏面にそれぞれ形成した凹部3b，4bに、各凹部3b，4bを相手側天板１又は２の端面方向に押圧する連結金具８，９の押圧部8a，9aをそれぞれ嵌入させると共に当該連結金具８，９の対面した結合部8b，9bにボルト10を貫通させ、当該ボルト10をナット11で緊締することにより、前記凹部3b，4b同士を引寄せて突合せ端面1a，2aを圧着し、前記天板１，２同士を結合一体化するようにしたこと。【選択図】図１
2009077909.tif 000002
【特許請求の範囲】
【請求項１】
天板同士を突合せ結合するため、当該天板同士の突合せ端面近傍の裏面にそれぞれ形成した凹部に、各凹部を相手側天板の端面方向に押圧する連結金具の押圧部をそれぞれ嵌入させると共に当該連結金具の対面した結合部にボルトを貫通させ、当該ボルトをナットで緊締することにより、前記凹部同士を引寄せて突合せ端面を圧着し、前記天板同士を結合一体化するようにしたことを特徴とする家具天板の連結構造。
【請求項２】
天板裏面に形成する凹部は、突合せる天板端面から見て当該天板の裏面に設けられた補強部材の断面構造を利用して形成した請求項１の家具天板の連結構造。
【請求項３】
連結金具は、断面が略クランク状をなして上，下位に立壁片を備えており、上位の立壁片が前記凹部に収まって天板突合せ部分に対する押圧部として作用し、対向する下位の立壁片がボルト，ナットで締結されることにより、上記押圧部に押圧力を作用させるように形成した請求項１又は２の家具天板の連結構造。
【発明の詳細な説明】
【技術分野】
【０００１】
本発明は、デスク，テーブル，カウンターなどの家具に用いられている天板の連結構造に関する。
【背景技術】
【０００２】
家具天板を連結する構造は、例えば長大な天板をいわゆる一枚もので仕上げると、製造工程や運搬，保管工程などにおいて、使用材料の大きさに限度があることや加工装置の加工幅限度による制約を受けたり、運搬や保管の面において不都合がある点に鑑み、長大な天板を、複数の天板部材をそれぞれの長さ方向で連結することによって、所望する長大天板に形成することが、特許文献１〜３などにより提案され、中には実用に供されているものもある。
【０００３】
しかし乍ら、上記特許文献により提案されている天板の連結構造は、連結のための構造が使用部品や組立手間を含めて複雑，煩雑であったり、連結部分の強度が十分でないといった難点が指摘されている。
【特許文献１】特公平６−４４８９２号公報
【特許文献２】特公平１−４６１２４号公報
【特許文献３】実公平２−４０８０６号公報
【発明の開示】
【発明が解決しようとする課題】
【０００４】
そこで本発明では、少なくとも２枚の天板部材が、一例として当該天板部材の長さ方向に平行なボルト杆とナットによって連結されるように形成した連結天板において、連結する構造を簡潔にすることにより、使用部品の制約や組立手間を含めて複雑さや煩雑さを回避できるようにしたのみならず、連結部分の十分な強度を実現できる家具天板の連結構造を提供することを、課題とする。
【課題を解決するための手段】
【０００５】
上記課題を解決することを目的としてなされた本発明連結構造の構成は、天板同士を突合せ結合するため、当該天板同士の突合せ端面近傍の裏面にそれぞれ形成した凹部に、各凹部を相手側天板の端面方向に押圧する連結金具の押圧部をそれぞれ嵌入させると共に当該連結金具の対面した結合部にボルトを貫通させ、当該ボルトをナットで緊締することにより、前記凹部同士を引寄せて突合せ端面を圧着し、前記天板同士を結合一体化するようにしたことを特徴とするものである。
【０００６】
本発明は、上記構成において、天板裏面に形成する凹部は、突合せる当該天板の端面から見て天板裏面に設けられた補強部材の断面構造を利用して形成することが望ましい。
【発明の効果】
【０００７】
本発明連結構造によれば、天板同士を突合せ結合するために、天板同士を突合せ結合するため、当該天板同士の突合せ端面近傍の裏面にそれぞれ形成した凹部に、各凹部を相手側天板の端面方向に押圧する連結金具の押圧部をそれぞれ嵌入させると共に当該連結金具の対面した結合部にボルトを貫通させ、当該ボルトをナットで緊締することにより、前記凹部同士を引寄せて突合せ端面を圧着し、前記天板同士を結合一体化するようにしたから、構造が簡潔であり、構造の複雑さから来る組立ての煩雑さを解消することができ、しかも連結部の強度を、従来品に比べ構造簡潔であっても十分なものとすることができる。
【発明を実施するための最良の形態】
【０００８】
本発明連結構造の実施の形態例について、図を参照して説明する。添付した図において、図１は本発明連結構造の一例を説明するための正断面図、図２は図１のＡ−Ａ線矢視図、図３は図１のＢ−Ｂ線矢視図である。
【０００９】
図１において、１は連結する左側の天板部材（請求項にいう天板、以下、同じ）で、1aは該天板部材１における右側端面である。この右側端面1aは、連結する図１の右側の天板部材２における左側端面2aと突合されて両天板部材１，２が、それらの長さ方向において連結されるときの突合せ端面となる。なお、1b，2bは天板部材１，２の表面材、1c，2cは天板部材１，２の裏面材である。
【００１０】
天板部材１の突合せ端面となる端面1aの近傍には、断面が上向き凹状部3aと下向き凹状部3bが連結された断面形状を備えた補強金具３が配設されている。
天板部材２の突合せ端面となる端面2aの近傍にも、上記補強材金具３の断面形状と同じ上向き凹状部4aと下向き凹状部4bを有する補強金具４が配設されている。
【００１１】
図示した実施例では、上記の補強金具３，４における上向き凹状部3aと同4aには、それぞれ縁部材が当接材3cと同4cとして取付けられている。この結果、突合せ端面1a，2aは前記当接材3cと4cの外端面となるが、本発明においては、上記当接材3c，4cを必須とするものではない。例えば、補強金具３，４の対向する立壁自体や天板自体の構成部分の端面を突合せ端面とすることもある。また、当接材3c，4cの断面形状や大きさも図示した例に限られるものではない。さらに、下向き凹状部3bと同4bが、請求項でいう「天板裏面に形成した凹部」として機能する。本発明において天板裏面に形成する凹部は、上記の補強金具３，４により形成する場合のほか、天板の構成部材の一部、或は、他の部材により形成してもよい。
【００１２】
補強金具３，４の上向き凹状部3a，4aにおける左右両側の立壁と当接材3c，4cのそれぞれには、従来技術による天板連結構造のためのボルト穴3d，3e，3fと同4d，4e，4fが形成されている。なお、補強金具３，４は、天板部材１，２における裏面材1c，2cの内側に位置付けられているので、天板部材１，２の下面側に露出していない。
【００１３】
連結された天板部材１，２の当該連結部の下方には、その連結部分を下面から支持するため中間脚CLが配設されるが、前記天板連結部は、当該中間脚CLの上端に配設された支持アーム５の上面に載架支持される。即ち、中間脚CLの上端に天板連結部の突合せラインに沿って支持アーム５が設けられているので、そのアーム５の上面に、前記連結部の補強金具３，４における上向き凹状部3a，4aが、その下面側において裏面材1c，2cを介して支持されているのである。この支持アーム５の図１における左右の立壁面には、同軸上に後述するボルト杆用の貫通孔5a，5bが形成されている。
【００１４】
上記補強金具３，４における下向き凹状部3b，4bに対し、裏面材1c，2cには天板部材１，２の裏面に凹部を形成するための平面略四角形穴が形成され、かつ、この穴に合成樹脂製の伏せたボックス状をなすキャップ６，７が伏せた状態で装着されている。これにより天板部材裏面の凹部が形成される。
【００１５】
８，９は、補強金具３，４における上向き凹状部3a，4aのボルト穴3d，4dが設けられた立壁と支持アーム５のボルト穴5a，5bが設けられた立壁に平行で、かつ、これらの立壁に対面した上位の立壁片8a，8bと、下位の立壁片9a，9bとを有する階段状断面（乃至は断面略クランク状）に形成された連結金具である。8c，9cは当該連結金具８，９の外面側に立ち姿勢で設けたリブ状補強部であり、図示した例では、当該金具８，９の幅方向（図２，３では上，下方向）の両側に補強部8c，9cを備えている。
【００１６】
前記連結金具８，９において、各立壁片8a，8b同9a，9bのうち上方の立壁片8aと同9aは連結金具８，９の押圧部を形成する。そして、ボルト穴3dと同4dに対面した立壁片8aと同9aの内面には、それぞれ前記ボルト穴3dと同4dに嵌入することにより位置決め作用をする突起8dと同9dを先端に備えた押圧作用をする押圧子8eと同9eが設けられている。前記押圧子8e，9eは上向き凹状部3a，4aと下向き凹状部3b，4bの境界の立壁を、互に近付く方向に押圧する。上記構成の連結金具８，９は、左右対称の同一形態であるから、同一の連結金具を左右の連結金具８，９として使用することができる。
【００１７】
一方、上記の支持アーム５におけるボルト穴5a，5bに対面した連結金具８，９における下方の立壁片8bと同9bには、前記支持アーム５のボルト穴5aと5bの同軸上に、ボルト穴8fと同9fとが設けられ、当該立壁片8b，9bがこの連結金具８，９の結合部に形成されている。
【００１８】
10は上記連結金具８，９におけるボルト穴8f，9fと支持アーム５のボルト穴5a，5bに貫挿したボルト杆、10aはそのボルト杆の先端側に形成した雄ネジ、10bはボルト杆10の頭部であり、各ボルト穴8f，9fと同5a，5bに貫通されたボルト杆10の雄ネジ10aにナット11を螺装して当該ナット11を締込むことにより、左右の連結金具８，９の下方の立壁片8b，9bが互に引寄せられる側に締結される。
【００１９】
上記の締結作用により、押圧部として作用する立壁片8a，9aが、それぞれの前面側の押圧子8e，9eを介して天板部材１，２の突合せ端面1a，2aを強固に圧着させ、天板部材１と天板部材２の結合一体化を達成する。
【００２０】
上記の連結構造においては、天板部材１，２を連結しているボルト杆10とナット11の締結を解いてボルト杆10を連結金具８，９から外せば、当該連結金具８，９も、それが配置されている凹部（キャップ６，７）の中で後退可能になり、後退させるとボルト穴3d，4dから容易に取外すことができるので、連結状態の解除も至って簡単な作業手間で行うことができる。この連結構造のための部品は、同一形態の連結金具８（又は９）とボルト杆10，ナット11の３種類であるから、天板部材１，２の連結、或は、その状態の解除のいずれの作業も、特段の熟練を要せず至って簡潔に行うことができる。
【産業上の利用可能性】
【００２１】
本発明の天板連結構造は以上の通りであって、天板同士を突合せ結合するため、当該天板同士の突合せ端面近傍の裏面にそれぞれ形成した凹部に、各凹部を相手側天板の端面方向に押圧する連結金具の押圧部をそれぞれ嵌入させると共に当該連結金具の対面した結合部にボルトを貫通させ、当該ボルトをナットで緊締することにより、前記凹部同士を引寄せて突合せ端面を圧着し、前記天板同士を結合一体化するようにしたから、連結構造が簡潔になり、組立，分解作業の煩雑さを解消することができ、しかも、連結部の強度は、従来構造に比べ構造簡潔であっても格段に高い。
【図面の簡単な説明】
【００２２】
【図１】本発明連結構造の一例を説明するための正断面図。
【図２】図１のＡ−Ａ線矢視図。
【図３】図１のＢ−Ｂ線矢視図。
【符号の説明】
【００２３】
１，２    天板部材
３，４    補強部材
５        支持アーム
６，７    キャップ
８，９    連結金具
10        ボルト杆
11        ナット
【図１】
2009077909.tif 000003
【図２】
2009077909.tif 000004
【図３】
2009077909.tif 000005